(57)【要約】【課題】  携帯再生装置に記憶されているデータを格段と良好な品質で再生することができるようにする。【解決手段】  携帯再生装置３に記憶保持されている暗号化された圧縮音楽データが、再生専用オーディオ機器５のデコーダ部４５及び音楽データ処理部４６で処理されるので、携帯再生装置３のデコーダ部３６及び音楽データ処理部３７で処理したときよりも品質の良い音楽信号を得ることができ、かくして良好な音質の音楽をユーザに提供することができる。【選択図】          図１
2005190522.tif 000002
【特許請求の範囲】
【請求項１】
コンテンツデータを記憶する記憶手段と、上記記憶手段に記憶している上記コンテンツデータから信号を再生する再生手段とを有する第１の再生装置と、
上記第１の再生装置から送信される上記コンテンツデータを受信する受信手段と、上記受信したコンテンツデータから上記第１の再生装置の上記再生手段よりも高精度に上記信号を再生する高精度再生手段とを有する第２の再生装置と
を具えることを特徴とする再生システム。
【請求項２】
上記第１の再生装置は、ユーザの所定操作に応じて上記第２の再生装置と無線接続した後、ユーザにより再生操作が行われると、当該再生操作に応じた上記コンテンツデータを上記第２の再生装置へ送信する
ことを特徴とする請求項１に記載の再生システム。
【請求項３】
上記第２の再生装置は、上記第１の再生装置と上記無線接続したとき、当該第１の再生装置に対する認証処理を実行し、
上記第１の再生装置は、上記第２の再生装置により上記認証処理が実行されると、上記コンテンツデータからの上記信号の再生に用いる上記再生手段を上記第２の再生装置の上記高精度再生手段に切り替える
ことを特徴とする請求項２に記載の再生システム。
【請求項４】
上記第２の再生装置は、上記第１の再生装置が載置される載置部を有し、
上記第１の再生装置は、上記載置部に載置された状態でユーザにより再生操作が行われると、当該再生操作に応じた上記コンテンツデータを上記第２の再生装置へ送信する
ことを特徴とする請求項１に記載の再生システム。
【請求項５】
上記第２の再生装置は、上記第１の再生装置が上記載置部に載置されたとき、当該第１の再生装置に対する認証処理を実行し、
上記第１の再生装置は、上記第２の再生装置により上記認証処理が実行されると、上記コンテンツデータからの上記信号の再生に用いる上記再生手段を上記第２の再生装置の上記高精度再生手段に切り替える
ことを特徴とする請求項４に記載の再生システム。
【請求項６】
コンテンツデータを記憶する記憶手段と、
上記記憶手段に記憶している上記コンテンツデータから信号を再生する再生手段と、
上記再生手段よりも高精度に上記コンテンツデータから上記信号を再生する高精度再生手段を有する再生装置に対して、上記記憶手段に記憶している上記コンテンツデータを送信する送信手段と
を具えることを特徴とする携帯再生装置。
【請求項７】
コンテンツデータを記憶する記憶手段と上記記憶手段に記憶している上記コンテンツデータから信号を再生する再生手段とを有する携帯再生装置から送信される上記コンテンツデータを受信する受信手段と、
上記受信した上記コンテンツデータから上記携帯再生装置の上記再生手段よりも高精度に上記信号を再生する高精度再生手段と
を具えることを特徴とする再生装置。
【請求項８】
コンテンツデータを記憶する記憶手段と上記記憶手段に記憶している上記コンテンツデータから信号を再生する再生手段とを有する第１の再生装置から送信される上記コンテンツデータを第２の再生装置が受信する第１のステップと、
上記第１の再生装置の上記再生手段よりも高精度に上記コンテンツデータから上記信号を再生する高精度再生手段を有する上記第２の再生装置が、上記高精度再生手段によって、上記受信した上記コンテンツデータから上記信号を再生する第２のステップと
を具えることを特徴とする再生方法。
【発明の詳細な説明】
【技術分野】
【０００１】
本発明は再生システムに関し、例えば、ＭＰ３（MPEG Audio Layer-3）プレーヤ等の携帯再生装置に記憶されている音楽データを再生する際に適用して好適なものである。
【背景技術】
【０００２】
近年、ＭＰ３プレーヤ等の携帯再生装置が普及し始めている。このような携帯再生装置は、インターネットを介してダウンロードすることにより得られる圧縮符号化された音楽データ（以下、圧縮音楽データと呼ぶ）を、内部のハードディスクドライブに記憶保持しておくことができるようになされている（特許文献１参照）。
【０００３】
このような携帯再生装置の一例を図１１を用いて説明する。例えば、ダウンロードして得られた多数の圧縮音楽データを記憶保持しているパーソナルコンピュータ（図示せず）から、ユーザ所望の圧縮音楽データが携帯再生装置へ送信されたとき、受信部１００はメインコントローラ１０１の制御の下、これを受信してハードディスクドライブ１０２に記憶する。
【０００４】
そして、携帯再生装置の操作部１０３に対してユーザが再生操作を行うと、これに応じてメインコントローラ１０１は、再生する音楽のタイトル情報等を表示部１０４に表示しつつ、ハードディスクドライブ１０２に記憶保持している圧縮音楽データをデコーダ部１０５へ送出する。
【０００５】
このときデコーダ部１０５はメインコントローラ１０１の制御の下、圧縮音楽データに対して伸長復号化処理を施すことにより、音楽データ（いわゆるＰＣＭ（Pulse Code Modulation）データ）を生成し、当該生成した音楽データをＤＳＰ（Digital Signal Processor）やＤ／Ａコンバータやフィルタ等からなる音楽データ処理部１０６へ送出する。音楽データ処理部１０６はメインコントローラ１０１の制御の下、音楽データに対してＤ／Ａ変換処理等を施すことにより音楽信号（いわゆるアナログ信号）を得て、これに基づく音楽をイヤホン１０７を介して放音するようになされている。
【特許文献１】特開２０００−７７９６０公報
【発明の開示】
【発明が解決しようとする課題】
【０００６】
ところで近年、例えばユーザが旅行へ出かける場合、その移動中は携帯再生装置を携帯しながら接続されているイヤホン１０７を介して音楽を聴き、ホテル等の宿泊先で過ごすときは、携帯再生装置に小型のスピーカを接続し、当該スピーカを介して部屋の中で音楽を聴くようなことが行われている。
【０００７】
因みにこのような携帯再生装置においては、軽量化して携帯性を確保することが重要であることから、イヤホン１０７を介して音楽が聴かれることを前提にし、少なくともこの前提に応じた処理精度（演算精度等に相当する）を有するデコーダ部１０５及び音楽データ処理部１０６が搭載されている。
【０００８】
従って、このようなデコーダ部１０５及び音楽データ処理部１０６により圧縮音楽データから再生された音楽信号の品質については、携帯再生装置にスピーカを接続して利用するような状況では十分高いものとは言えないので、当該スピーカから放音される音楽の音質は良いとは言い難かった。
【０００９】
本発明は以上の点を考慮してなされたもので、携帯再生装置に記憶されているデータを格段と良好な品質で再生することができる再生システムを提案しようとするものである。
【課題を解決するための手段】
【００１０】
かかる課題を解決するため本発明においては、再生システムにおいて、コンテンツデータを記憶する記憶手段と、記憶手段に記憶しているコンテンツデータから信号を再生する再生手段とを有する第１の再生装置と、当該第１の再生装置から送信されるコンテンツデータを受信する受信手段と、受信したコンテンツデータから第１の再生装置の再生手段よりも高精度に信号を再生する高精度再生手段とを有する第２の再生装置とを設けるようにした。
【００１１】
また本発明においては、携帯再生装置において、コンテンツデータを記憶する記憶手段と、記憶手段に記憶しているコンテンツデータから信号を再生する再生手段と、再生手段よりも高精度にコンテンツデータから信号を再生する高精度再生手段を有する再生装置に対して、記憶手段に記憶しているコンテンツデータを送信する送信手段とを設けるようにした。
【００１２】
さらに本発明においては、再生装置において、コンテンツデータを記憶する記憶手段と記憶手段に記憶しているコンテンツデータから信号を再生する再生手段とを有する携帯再生装置から送信されるコンテンツデータを受信する受信手段と、受信したコンテンツデータから携帯再生装置の再生手段よりも高精度に信号を再生する高精度再生手段とを設けるようにした。
【００１３】
さらに本発明においては、再生方法において、コンテンツデータを記憶する記憶手段と記憶手段に記憶しているコンテンツデータから信号を再生する再生手段とを有する第１の再生装置から送信されるコンテンツデータを第２の再生装置が受信する第１のステップと、第１の再生装置の再生手段よりも高精度にコンテンツデータから信号を再生する高精度再生手段を有する第２の再生装置が、高精度再生手段によって、受信したコンテンツデータから信号を再生する第２のステップとを設けるようにした。
【００１４】
これにより、第１の再生装置（すなわち、携帯再生装置）に記憶されているコンテンツデータから品質の良い信号を再生することができる。
【発明の効果】
【００１５】
本発明によれば、第1の再生装置に記憶されているコンテンツデータから品質の良い信号を再生することができる。この結果、第1の再生装置に記憶されているコンテンツデータを格段と良好な品質で再生することができる再生システムを実現することができる。
【発明を実施するための最良の形態】
【００１６】
以下図面について、本発明の一実施の形態を詳述する。
【００１７】
（１）音楽再生システムの構成
図１において、１は全体として音楽再生システムを示し、ユーザの家に設置されているパーソナルコンピュータ２は、ユーザの所定操作に応じてインターネットから暗号化された圧縮音楽データ（以下、暗号化圧縮音楽データと呼ぶ）をダウンロードし、これを内部のハードディスクドライブに記憶保持する。
【００１８】
パーソナルコンピュータ２は、例えば図示しないケーブルによって携帯再生装置３と接続された後、ユーザにより転送操作が行われると、記憶保持している暗号化圧縮音楽データをこのケーブルを介して携帯再生装置３へ転送する。このとき携帯再生装置３は、転送された暗号化圧縮音楽データを内部のハードディスクドライブに記憶保持する。
【００１９】
この後携帯再生装置３は、ユーザにより再生操作が行われると、記憶保持している暗号化圧縮音楽データのうち、当該再生操作に応じた暗号化圧縮音楽データに対して、暗号化を解くための復号化処理を実行することにより圧縮音楽データを得る。続いて携帯再生装置３は、この圧縮音楽データに対して伸長符号化処理を実行することにより音楽データを生成した後、当該生成した音楽データに対してＤ／Ａ変換処理等を実行し、この結果得られた音楽信号に基づく音楽を接続されているイヤホン４を介して放音する。
【００２０】
また携帯再生装置３は、ユーザの宿泊先に持ち込まれて所定操作が行われると、当該宿泊先に設置されている再生専用オーディオ機器５と、所定の無線通信方式（例えば、Bluetooth（Ｒ））に準拠して無線通信を開始する。
【００２１】
この状態において、携帯再生装置３の操作部に対しユーザが再生操作を行うと、携帯再生装置３は、記憶保持している暗号化圧縮音楽データのうち、当該再生操作に応じた暗号化圧縮音楽データを、再生専用オーディオ機器５へ送信する。このとき再生専用オーディオ機器５は、携帯再生装置３から受信した暗号化圧縮音楽データに対して、復号化処理、伸長復号化処理及びＤ／Ａ変換処理等を順次実行し、この結果得られた音楽信号に基づいてスピーカから音楽を放音する。
【００２２】
また携帯再生装置３は、ユーザ所有の車の中に持ち込まれて、その筐体が車内に設置されているステーション７の挿入孔ＨＬに挿入されると、このステーション７から延長しているケーブル８を介して、車内のオーディオ機器６と通信を開始する。
【００２３】
この状態において、携帯再生装置３の操作部に対しユーザが再生操作を行うと、携帯再生装置３は、記憶保持している暗号化圧縮音楽データのうち、当該再生操作に応じた暗号化圧縮音楽データを、オーディオ機器６へ送信する。このときオーディオ機器６は、携帯再生装置３から受信した暗号化圧縮音楽データに対して、復号化処理、伸長復号化処理及びＤ／Ａ変換処理等を順次実行し、この結果得られた音楽信号に基づいてスピーカから音楽を放音する。
【００２４】
またこの状態において、携帯再生装置３の操作部に対しユーザがコピー操作を行うと、携帯再生装置３は、記憶保持している暗号化圧縮音楽データのうち、当該コピー操作に応じた暗号化圧縮音楽データを、ステーション７のケーブル８を介してオーディオ機器６へ送信する。このときオーディオ機器６は、携帯再生装置３から送信された圧縮音楽データを、内部のハードディスクドライブに記憶保持する。このようにしてユーザは、携帯再生装置３に記憶保持されている暗号化圧縮音楽データを、オーディオ機器６のハードディスクドライブにコピーすることもできる。
【００２５】
そして、オーディオ機器６の操作部に対してユーザが再生操作を行うと、オーディオ機器６は、ハードディスクドライブに記憶されている暗号化圧縮音楽データのうち、当該再生操作に応じた暗号化圧縮音楽データを読み出して、これに復号化処理、伸長復号化処理及びＤ／Ａ変換処理等を順次実行し、この結果得られた音楽信号に基づいてスピーカから音楽を放音する。
【００２６】
（２）パーソナルコンピュータの構成
図２に示すパーソナルコンピュータ２において、音楽ＣＤ（Compact Disc）がドライブ部１０に挿入された後、この音楽ＣＤに記憶されている音楽データをハードディスクドライブ１１にコピーする操作（いわゆるリッピング操作）が行われると、これに応じてメインコントローラ１２は、ドライブ部１０を制御することにより音楽ＣＤに記憶されている音楽データを読み出し、これをエンコーダ部１３へ送出する。
【００２７】
エンコーダ部１３はメインコントローラ１２の制御の下、ドライブ部１０からの音楽データに対して圧縮符号化処理を施し、この結果得られた圧縮音楽データを暗号化部１４へ送出する。暗号化部１４はメインコントローラ１２の制御の下、エンコーダ部１３からの圧縮音楽データに対して、著作権保護のための暗号化処理を施すことにより暗号化圧縮音楽データを生成し、これをハードディスクドライブ１１に記憶する。
【００２８】
このようにしてパーソナルコンピュータ２は、音楽ＣＤに記憶されていた音楽データを、圧縮及び暗号化した状態でハードディスクドライブ１１に蓄積するようになされている。
【００２９】
また、ユーザにより操作部１５を介してハードディスクドライブ１１に記憶保持されている暗号化圧縮音楽データを再生する再生操作が行われると、これに応じてメインコントローラ１２は、当該暗号化圧縮音楽データに対応するタイトル情報等を表示部１６に表示しつつ、ハードディスクドライブ１１から当該暗号化圧縮音楽データを読み出してこれを復号化部１７へ送出する。
【００３０】
復号化部１７はメインコントローラ１２の制御の下、かかる暗号化圧縮音楽データに対して、暗号化部１４の暗号化処理に対応する復号化処理を施し、この結果得られた圧縮音楽データをデコーダ部１８へ送出する。デコーダ部１８はメインコントローラ１２の制御の下、復号化部１７からの圧縮音楽データに対して伸長復号化処理を施し、この結果得られた音楽データを音楽データ処理部１９へ送出する。
【００３１】
音楽データ処理部１９は、デコーダ部１８からの音楽データに対してＤ／Ａ変換処理等を施すことにより音楽信号を得て、これに基づく音楽をスピーカ２０から放音する。
【００３２】
一方、ユーザにより操作部１５を介してインターネットＮＴ１におけるコンテンツサーバＳＶ１にアクセスするための操作が行われると、これに応じてメインコントローラ１２はネットワーク処理部２３を制御することにより、インターネットＮＴ１を介してコンテンツサーバＳＶ１へアクセスする。
【００３３】
そして、ユーザにより操作部１５を介してコンテンツサーバＳＶ１が保持している音楽データをダウンロードするためのダウンロード操作が行われると、これに応じてメインコントローラ１２は、当該ダウンロード操作に応じた音楽データをダウンロードするように要求するためのダウンロード要求信号を、コンテンツサーバＳＶ１へ送信する（ステップＳＰ１（図３））。
【００３４】
コンテンツサーバＳＶ１は、当該ダウンロード要求信号に応じた音楽データに対して、圧縮符号化処理及び暗号化処理を施すことにより得られた暗号化圧縮音楽データを、インターネットＮＴ１を介してパーソナルコンピュータ２へ送信する（ステップＳＰ２（図３））。
【００３５】
続いてパーソナルコンピュータ２は、受信した暗号化圧縮音楽データを購入するための購入要求信号を、コンテンツサーバＳＶ１へ送信する（ステップＳＰ３（図３））。
【００３６】
コンテンツサーバＳＶ１はかかる購入要求信号を受信すると、パーソナルコンピュータ２を認証するために必要となる認証データを要求する認証要求信号を、パーソナルコンピュータ２へ送信する（ステップＳＰ４（図３））。
【００３７】
この認証要求信号に応じてパーソナルコンピュータ２は、当該パーソナルコンピュータ２固有のＩＤ（Identification）情報等が示されてなる認証データをコンテンツサーバＳＶ１へ送信する（ステップＳＰ５（図３））。
【００３８】
コンテンツサーバＳＶ１は、受信した認証データに基づいてパーソナルコンピュータ２を認証することができると、このパーソナルコンピュータ２の利用者であるユーザに対して課金を行うための課金処理を実行する。そしてこの課金処理を正常に終了すると、コンテンツサーバＳＶ１は、パーソナルコンピュータ２がダウンロードした暗号化圧縮音楽データに施されている暗号を解くための復号鍵データを、パーソナルコンピュータ２へ送信する（ステップＳＰ６（図３））。
【００３９】
この後パーソナルコンピュータ２においてネットワーク処理部２３は、コンテンツサーバＳＶ１から受信した復号鍵データを利用して、暗号化圧縮音楽データに対する復号化処理を実行し、この結果得られた圧縮音楽データを暗号化部１４へ送出する。
【００４０】
暗号化部１４はメインコントローラ１２の制御の下、ネットワーク処理部２３からの圧縮音楽データに対して新たに暗号化処理を施し、この結果得られた暗号化圧縮音楽データをハードディスクドライブ１１に記憶する。
【００４１】
このようにしてパーソナルコンピュータ２は、音楽ＣＤに記憶されていた音楽データの他に、コンテンツサーバＳＶ１からダウンロードした音楽データも、暗号化及び圧縮した状態でハードディスクドライブ１１に蓄積するようになされている。
【００４２】
ところでパーソナルコンピュータ２の接続部（ＵＳＢ（Universal Serial Bus）端子等に相当する）２１に対し、図示しないケーブルを介して携帯再生装置３が接続されると、認証部２２はメインコントローラ１２の制御の下、接続された携帯再生装置３を認証するための認証処理を実行する。
【００４３】
そしてこの認証処理が正常に終了した後、ハードディスクドライブ１１に記憶されている暗号化圧縮音楽データを携帯再生装置３へ転送するための転送操作が操作部１５に対して行われると、メインコントローラ１２は、ハードディスクドライブ１１から当該暗号化圧縮音楽データを読み出して、これを携帯再生装置３へ送信する。
【００４４】
（３）携帯再生装置の構成
図４に示す携帯再生装置３において、受信部３０はメインコントローラ３１の制御の下、パーソナルコンピュータ２から送信された暗号化圧縮音楽データを受信し、これをハードディスクドライブ３２へ記憶する。
【００４５】
かくして携帯再生装置３は、パーソナルコンピュータ２からの暗号化圧縮音楽データを、ハードディスクドライブ３２に蓄積しておくことができる。
【００４６】
この後、この携帯再生装置３がパーソナルコンピュータ２の接続部２１から取り外されて、ユーザにより携帯されて使用されているとき、操作部３３を介してハードディスクドライブ３２に記憶されている暗号化圧縮音楽データを再生するための再生操作が行われると、これに応じてメインコントローラ３１は、当該暗号化圧縮音楽データに対応するタイトル情報等を表示部３４に表示しつつ、ハードディスクドライブ３２から当該暗号化圧縮音楽データを読み出してこれを復号化部３５へ送出する。
【００４７】
復号化部３５はメインコントローラ３１の制御の下、暗号化圧縮音楽データに対して復号化処理を施し、この結果得られた圧縮音楽データをデコーダ部３６へ送出する。デコーダ部３６はメインコントローラ３１の制御の下、復号化部３５からの圧縮音楽データに対して伸長復号化処理を施し、この結果得られた音楽データを音楽データ処理部３７へ送出する。
【００４８】
音楽データ処理部３７はメインコントローラ３１の制御の下、デコーダ部３６からの音楽データに対してＤ／Ａ変換処理等を施すことにより音楽信号を得て、この音楽信号に基づく音楽をイヤホン４を介して放音する。
【００４９】
因みにこのような携帯再生装置３は、イヤホン４を介して音楽が聴かれることを前提に設計されているので、搭載されているデコーダ部３６及び音楽データ処理部３７は、この前提に応じた処理精度のみを有している。
【００５０】
一方この携帯再生装置３は、宿泊先に設置されている再生専用オーディオ機器５と所定の無線接続方式に準拠して無線接続するための無線接続部３８と、ユーザの車内に設置されているオーディオ機器６のステーション７と接続するためのステーション接続部３９とを有している。
【００５１】
例えばユーザによりこの携帯再生装置３が宿泊先に持ち込まれ、操作部３３を介して所定操作が行われたとき、これに応じてメインコントローラ３１は無線接続部３８を制御することにより、再生専用オーディオ機器５に対して無線通信の開始を要求するための通信開始要求信号を送信する。そして無線接続部３８が再生専用オーディオ機器５から当該通信開始要求信号に対応する応答信号を受信すると、無線接続部３８と再生専用オーディオ機器５との間で無線接続が確立された状態になる。この結果、携帯再生装置３は再生専用オーディオ機器５と無線通信することができる。
【００５２】
このように再生専用オーディオ機器５との無線通信が可能な状態で、例えばハードディスクドライブ３２に記憶されている暗号化圧縮音楽データを再生するための再生操作が操作部３３に対して行われたとき、これに応じてメインコントローラ３１は、ハードディスクドライブ３２から当該暗号化圧縮音楽データを読み出して、これを再生専用オーディオ機器５へ送信するようになされている。
【００５３】
また、ユーザにより携帯再生装置３が車内におけるステーション７の挿入孔ＨＬに挿入されると、メインコントローラ３１はステーション接続部３９を介して、当該挿入孔ＨＬに差し込まれた旨を検知する。続いてメインコントローラ３１は、ステーション７とオーディオ機器６とを結ぶケーブル８を介して、通信の開始を要求するための通信開始要求信号をオーディオ機器６へ送信する。そしてステーション接続部３９がオーディオ機器６から当該通信開始要求信号に対応する応答信号を受信すると、ステーション接続部３９とオーディオ機器６との間でデータ通信が可能な状態になる。この結果、携帯再生装置３はオーディオ機器６とデータ通信することができる。
【００５４】
このようにオーディオ機器６とデータ通信が可能な状態で、例えばハードディスクドライブ３２に記憶されている暗号化圧縮音楽データを再生する再生操作が操作部３３に対して行われたとき、これに応じてメインコントローラ３１は、当該暗号化圧縮音楽データをオーディオ機器６へ送信するようになされている。
【００５５】
（４）宿泊先に設置された再生専用オーディオ機器の構成
図５に示す再生専用オーディオ機器５において、無線接続部４０はメインコントローラ４１の制御の下、携帯再生装置３から送信された通信開始要求信号を受信すると、これに応じた応答信号を携帯再生装置３へ送信する。これによりこの再生専用オーディオ機器５の無線接続部４０は、携帯再生装置３と無線接続が確立された状態になり、この結果再生専用オーディオ機器５は、携帯再生装置３との無線通信を開始する。
【００５６】
このようにして携帯再生装置３との間で無線通信が開始されたとき、まず最初に認証部４２はメインコントローラ４１の制御の下、当該携帯再生装置３を認証するための認証処理を実行する。
【００５７】
やがてこの認証処理が正常に終了した後、携帯再生装置３から暗号化圧縮音楽データが送信されると、メインコントローラ４１は無線接続部４０を介してこれを受信し、受信した暗号化圧縮音楽データを一時的にメモリ４３へ記憶しながら（いわゆるバッファリング）、これを復号化部４４へ順次送出する。
【００５８】
復号化部４４はメインコントローラ４１の制御の下、当該暗号化圧縮音楽データに対して復号化処理を施し、この結果得られた圧縮音楽データをデコーダ部４５へ送出する。デコーダ部４５はメインコントローラ４１の制御の下、復号化部４４からの圧縮音楽データに対して伸長復号化処理を施し、この結果得られた音楽データを音楽データ処理部４６へ送出する。
【００５９】
音楽データ処理部４６は、デコーダ部４５からの音楽データに対してＤ／Ａ変換処理等を施すことにより音楽信号を得て、これに基づく音楽をスピーカ４７から放音する。
【００６０】
因みにこのような再生専用オーディオ機器５は、屋内でスピーカ４７を介して音楽が聴かれることを前提に設計されているので、搭載されているデコーダ部４５及び音楽データ処理部４６は、携帯再生装置３のデコーダ部３６及び音楽データ処理部３７よりも高い処理精度を有している。
【００６１】
このように再生専用オーディオ機器５は、携帯再生装置３から暗号化圧縮音楽データを受信したとき、これを記憶保持するようなことはしないで、復号化処理、伸長復号化処理及びＤ／Ａ変換処理等を即時に順次実行し、この結果得られる音楽信号に基づく音楽をスピーカ４７から放音するようになされている。
【００６２】
（５）車内に設置されたオーディオ機器の構成
図６に示すオーディオ機器６において、ステーション７とケーブル８を介して接続している接続部５０は、ステーション７に挿入されている携帯再生装置３から通信開始要求信号を受信すると、メインコントローラ５１の制御の下、これに応じた応答信号を携帯再生装置３へ送信する。これにより接続部５０は、携帯再生装置３とデータ通信可能な状態になり、この結果オーディオ機器６は、携帯再生装置３とのデータ通信を開始する。
【００６３】
このようにして携帯再生装置３との間でデータ通信が開始されたとき、まず最初に認証部５２はメインコントローラ５１の制御の下、当該携帯再生装置３を認証するための認証処理を実行する。
【００６４】
そしてこの認証処理が正常に終了した後、例えば携帯再生装置３の操作部３３に対して再生操作が行われることにより当該携帯再生装置３から暗号化圧縮音楽データが送信されると、メインコントローラ５１は接続部５０を介してこれを受信し、受信した暗号化圧縮音楽データをハードディスクドライブ５３へ一時的に記憶しながら（バッファリングに相当する）、これを復号化部５４へ順次送出する。
【００６５】
復号化部５４はメインコントローラ５１の制御の下、かかる暗号化圧縮音楽データに対して復号化処理を施し、この結果得られた圧縮音楽データをデコーダ部５５へ送出する。デコーダ部５５はメインコントローラ５１の制御の下、復号化部５４からの圧縮音楽データに対して伸長復号化処理を施し、この結果得られた音楽データをエフェクト処理部５６へ送出する。
【００６６】
エフェクト処理部５６は、デコーダ部５５からの音楽データに対してエフェクト処理（リバーブレーション処理やディレイ処理等）を施し、この結果得られたエフェクト処理後の音楽データを音楽データ処理部５７へ送出する。音楽データ処理部５７は、エフェクト処理部５６からの音楽データに対してＤ／Ａ変換処理等を施すことにより音楽信号を得て、これに基づく音楽をスピーカ５８から放音する。
【００６７】
因みにこのようなオーディオ機器６は、車内でスピーカ５８を介して音楽が聴かれることを前提に設計されているので、搭載されているデコーダ部５５及び音楽データ処理部５７は、携帯再生装置３のデコーダ部３６及び音楽データ処理部３７よりも高い処理精度を有している。
【００６８】
（６）再生処理
ここでは、携帯再生装置３と宿泊先の再生専用オーディオ機器５との間で実行される再生処理の手順について、図７のシーケンスチャートを用いて説明する。
【００６９】
例えばユーザにより携帯再生装置３が宿泊先に持ち込まれた後、携帯再生装置３の操作部３３に対して再生専用オーディオ機器５との無線通信を開始させるための通信開始操作が行われると、これに応じて携帯再生装置３のメインコントローラ３１はステップＳＰ１０において、再生専用オーディオ機器５と無線通信を開始する。
【００７０】
そして携帯再生装置３のメインコントローラ３１はステップＳＰ１１へ進み、この携帯再生装置３に対して固有に割り当てられているＩＤ情報を、再生専用オーディオ機器５へ送信する。
【００７１】
再生専用オーディオ機器５のメインコントローラ４１は、携帯再生装置３からＩＤ情報を受信するとステップＳＰ１２へ進み、受信したＩＤ情報に基づいて携帯再生装置３に対する認証処理を実行する。
【００７２】
ここで再生専用オーディオ機器５の認証部４２には、この再生専用オーディオ機器５を利用することができる携帯再生装置３のＩＤ情報が予め登録されている。再生専用オーディオ機器５のメインコントローラ４１はかかる認証処理として、携帯再生装置３から受信したＩＤ情報が認証部４２に登録されているか否かを確認し、当該ＩＤ情報が登録されていることを確認すると、この認証処理を正常に終了してステップＳＰ１３へ進み、携帯再生装置３に対して認証処理結果を通知すると共に、当該携帯再生装置３から送信される暗号化圧縮音楽データを受け付けるデータ受付モードへ移行する。
【００７３】
このとき携帯再生装置３のメインコントローラ３１は、再生専用オーディオ機器５から認証処理結果が通知されたタイミングで暗号化圧縮音楽データからの音楽信号の再生に用いるデコーダ部３６及び音楽データ処理部３７を当該再生専用オーディオ機器５のデコーダ部４５及び音楽データ処理部４６に切り替えるように設定する。
【００７４】
これによりこの後、例えば携帯再生装置３の操作部３３に対して当該携帯再生装置３のハードディスクドライブ３２に記憶保持されている暗号化圧縮音楽データを再生するための再生操作が行われると、これに応じて携帯再生装置３のメインコントローラ３１はステップＳＰ１４へ進み、当該再生操作に応じた暗号化圧縮音楽データをハードディスクドライブ３２から読み出して、これを再生専用オーディオ機器５へ送信する。
【００７５】
再生専用オーディオ機器５のメインコントローラ４１は、携帯再生装置３から暗号化圧縮音楽データを受信するとステップＳＰ１５へ進み、復号化部４４によって当該暗号化圧縮音楽データを復号化処理して圧縮音楽データを生成する。続いて再生専用オーディオ機器５のメインコントローラ４１は、この再生専用オーディオ機器５に搭載されているデコーダ部４５及び音楽データ処理部４６で当該圧縮音楽データを処理することにより、携帯再生装置３のデコーダ部３６及び音楽データ処理部３７で処理するよりも品質の良い音楽信号を得て、これに基づく音楽をスピーカ４７から放音する。
【００７６】
このようにしてこの音楽再生システム１では、携帯再生装置３に記憶保持されている暗号化された圧縮音楽データが、携帯再生装置３のデコーダ部３６及び音楽データ処理部３７よりも高い処理精度を有する再生専用オーディオ機器５のデコーダ部４５及び音楽データ処理部４６で処理されるので、携帯再生装置３のデコーダ部３６及び音楽データ処理部３７で処理するよりも高品質な音楽信号を得ることができ、かくして携帯再生装置３のイヤホン４から放音させる音楽の音質よりも高音質な音楽をユーザに提供することができる。
【００７７】
次に、車内に設置されているユーザ所有のオーディオ機器６と携帯再生装置３との間で実行される再生処理の手順について、図８のシーケンスチャートを用いて説明する。
【００７８】
例えばユーザにより携帯再生装置３が車内に持ち込まれてステーション７の挿入孔ＨＬへ挿入されると、これに応じて携帯再生装置３のメインコントローラ３１はステップＳＰ２０において、オーディオ機器６とのデータ通信を開始する。
【００７９】
そして携帯再生装置３のメインコントローラ３１はステップＳＰ２１へ進み、この携帯再生装置３の機種を表す機種情報（例えば型式番号）と、この携帯再生装置３に対して固有に割り当てられているＩＤ情報とを、オーディオ機器６へ送信する。
【００８０】
オーディオ機器６のメインコントローラ５１は、携帯再生装置３から機種情報及びＩＤ情報を受信するとステップＳＰ２２へ移り、受信した機種情報に基づいてこの携帯再生装置３が音楽再生システム１用に製造された機種であるか否かを判断する。
【００８１】
ここで肯定結果が得られると、このことはこの携帯再生装置３が音楽再生システム１用に製造された正規の機種であることを意味しており、このときオーディオ機器６のメインコントローラ５１は次のステップＳＰ２３へ進む。
【００８２】
これに対して否定結果が得られた場合、例えばこのことは、携帯再生装置３が音楽再生システム１用のものではない異機種であることを意味しており、このときオーディオ機器６のメインコントローラ５１はステップＳＰ２４へ進んで、正規の機種の携帯再生装置３をステーション７に挿入するように警告するメッセージを表示部６０に表示するようになされている。
【００８３】
ステップＳＰ２３においてオーディオ機器６のメインコントローラ５１は、受信したＩＤ情報に基づいて携帯再生装置３に対する認証処理を実行する。ここで本実施の形態の場合、オーディオ機器６の認証部５２には、ユーザが所有する携帯再生装置３のＩＤ情報のみが予め登録されている。オーディオ機器６のメインコントローラ５１はかかる認証処理として、携帯再生装置３から受信したＩＤ情報が認証部５２に登録されているか否かを判断し、この場合、携帯再生装置３がユーザの所有物であることから肯定結果が得られるので、ステップＳＰ２５へ進んで再生／コピー可能モードへ移行すると共に、携帯再生装置３に対して認証処理結果を通知する。
【００８４】
このとき携帯再生装置３のメインコントローラ３１は、オーディオ機器６から認証処理結果が通知されたタイミングで暗号化圧縮音楽データからの音楽信号の再生に用いるデコーダ部３６及び音楽データ処理部３７を当該オーディオ機器６のデコーダ部５５及び音楽データ処理部５７に切り替えるように設定する。
【００８５】
これによりこの後、例えば携帯再生装置３の操作部３３に対して当該携帯再生装置３のハードディスクドライブ３２に記憶保持されている暗号化圧縮音楽データを再生するための再生操作が行われると、これに応じて携帯再生装置３のメインコントローラ３１は当該再生操作に応じた暗号化圧縮音楽データをハードディスクドライブ３２から読み出して、これをオーディオ機器６へ送信する。
【００８６】
そして再生／コピー可能モード時のオーディオ機器６においては、携帯再生装置３に再生操作が行われて当該携帯再生装置３から暗号化圧縮音楽データが送信されたとき、この暗号化圧縮音楽データを、携帯再生装置３のデコーダ部３６及び音楽データ処理部３７よりも高い処理精度を有するオーディオ機器６のデコーダ部５５及び音楽データ処理部５７によって処理することにより、携帯再生装置３よりも高品質な音楽信号を再生して音楽を放音するようになされている。これによりユーザは、自身が所有するオーディオ機器６を利用することにより、携帯再生装置３に記憶保持されている暗号化圧縮音楽データに基づく音楽を、格段と良好な高音質で聴くことができる。
【００８７】
またこの再生／コピー可能モード時のオーディオ機器６においては、携帯再生装置３にコピー操作が行われて当該携帯再生装置３から暗号化圧縮音楽データが送信されたとき、これをハードディスクドライブ５３に記憶保持するようにもなされている。これによりユーザは、携帯再生装置３に記憶保持されている暗号化圧縮音楽データを、自身が所有するオーディオ機器６のハードディスクドライブ５３へコピーすることもできる。
【００８８】
これに対してステップＳＰ２３において否定結果が得られた場合、例えばこのことは、ステーション７に挿入された携帯再生装置３が他ユーザの所有物であることを意味しており、オーディオ機器６のメインコントローラ５１は、ステップＳＰ２５へ進んで再生モードへ移行する。
【００８９】
この再生モード時のオーディオ機器６においては、他ユーザの携帯再生装置３に再生操作が行われて当該携帯再生装置３から暗号化圧縮音楽データが送信されたとき、この暗号化圧縮音楽データから品質の良い音楽信号を再生して音楽を放音するようにはなされているが、当該携帯再生装置３にコピー操作が行われて当該携帯再生装置３から暗号化圧縮音楽データが送信されたとしても、これをハードディスクドライブ５３に一切記憶しないようになされている。
【００９０】
（７）動作及び効果
以上の構成において携帯再生装置３は、例えば宿泊先の再生専用オーディオ機器５と無線通信が可能な状態で、ユーザにより操作部３３を介して再生操作が行われると、当該再生操作に応じた暗号化圧縮音楽データをハードディスクドライブ３２から読み出し、これを再生専用オーディオ機器５へ送信する。
【００９１】
再生専用オーディオ機器５は、携帯再生装置３からの暗号化圧縮音楽データに復号化処理を施して圧縮音楽データを得た後、この再生専用オーディオ機器５に搭載されているデコーダ部４５及び音楽データ処理部４６によって当該圧縮音楽データを処理することにより、携帯再生装置３のデコーダ部３６及び音楽データ処理部３７で処理するよりも高品質な音楽信号を再生する。
【００９２】
この結果この再生専用オーディオ機器５は、携帯再生装置３で暗号化圧縮音楽データから音楽信号を再生するときよりも、高品質な音楽信号に基づいて音質の良好な（すなわち、高音質な）音楽をスピーカ４７から放音することができる。
【００９３】
以上の構成によれば、携帯再生装置３に記憶保持されている暗号化された圧縮音楽データが、再生専用オーディオ機器５のデコーダ部４５及び音楽データ処理部４６で処理されるので、携帯再生装置３のデコーダ部３６及び音楽データ処理部３７で処理したときよりも高品質な音楽信号を得ることができ、かくして良好な音質の音楽をユーザに提供することができる。
【００９４】
また本実施の形態の場合、ユーザは携帯再生装置３の操作部３３に対して通信開始操作をした後に再生操作を行うだけで、携帯再生装置３に記憶保持されている暗号化圧縮音楽データを、再生専用オーディオ機器５に再生させることができる。また、ユーザは携帯再生装置３をステーション７に挿入した後に当該携帯再生装置３の操作部３３に対して再生操作を行うだけで、携帯再生装置３に記憶保持されている暗号化圧縮音楽データを、オーディオ機器６に再生させることができる。
【００９５】
さらに本実施の形態の場合、車内に設置されているオーディオ機器６は、デコーダ部５５から送出される音楽データに対してエフェクト処理（リバーブレーション処理等）を実行するエフェクト処理部５６を有している。これによりこのオーディオ機器６のスピーカ５８から放音される音楽については、従来よりも音質が良いだけでなく例えば臨場感も有するようになされている。
【００９６】
ところで、携帯再生装置３に記憶保持されている暗号化圧縮音楽データを宿泊先の再生専用オーディオ機器５に再生させたとき、この暗号化圧縮音楽データが再生専用オーディオ機器５に残存してしまうと、この後に再生専用オーディオ機器５を利用する他の宿泊者によって、当該暗号化圧縮音楽データに基づく音楽が聴かれてしまう場合があり、この場合には著作権関連の問題が生じてしまう可能性がある。
【００９７】
しかしながら本実施の形態の場合、携帯再生装置３に記憶保持されている暗号化圧縮音楽データを再生専用オーディオ機器５に再生させたとき、携帯再生装置３から順次送信される暗号化圧縮音楽データは、再生専用オーディオ機器５のメモリ４３に一時的に記憶（バッファリング）されるだけで残存しないので、上述した著作権関連の問題が発生してしまうことを回避することができる。
【００９８】
（８）他の実施の形態
なお上述の実施の形態において、オーディオ機器６は認証部５２に予め登録されているＩＤ情報に基づいて携帯再生装置３を認証する場合について述べたが、本発明はこれに限らず、携帯再生装置３を認証するための認証サーバを別途設けるようにしても良い。
【００９９】
ここでは、図９（図１との対応部分に同一符号を付す）に示すような認証サーバＳＶ２によって、ステーション７に挿入される携帯再生装置３を認証する場合について説明する。
【０１００】
例えばユーザにより携帯再生装置３がステーション７の挿入孔ＨＬへ挿入されると、これに応じて携帯再生装置３は図１０に示すステップＳＰ３０において、オーディオ機器６とのデータ通信を開始する。
【０１０１】
そして携帯再生装置３はステップＳＰ３１へ進み、この携帯再生装置３に対して固有に割り当てられているＩＤ情報（以下、携帯再生装置ＩＤ情報と呼ぶ）を、オーディオ機器６へ送信する。
【０１０２】
オーディオ機器６は、携帯再生装置３から携帯再生装置ＩＤ情報を受信するとステップＳＰ３２へ移り、当該携帯再生装置ＩＤ情報と、このオーディオ機器６に対して固有に割り当てられているＩＤ情報（以下、オーディオ機器ＩＤ情報と呼ぶ）とを、認証サーバＳＶ２へ送信する。
【０１０３】
認証サーバＳＶ２は、オーディオ機器６から携帯再生装置ＩＤ情報及びオーディオ機器ＩＤ情報を受信するとステップＳＰ３３へ移り、受信したオーディオ機器ＩＤ情報に基づいてかかるオーディオ機器６のユーザを認識し、当該認識したユーザが業者、法人等ではない個人ユーザであるか否かを判断する。
【０１０４】
ここで肯定結果が得られると、例えばこのことは、オーディオ機器６のユーザが個人ユーザであって、当該オーディオ機器６がユーザの自宅に設置されていることを意味しており、このとき認証サーバＳＶ２はステップＳＰ３４へ進み、受信した携帯再生装置ＩＤ情報に基づいてかかる携帯再生装置３のユーザを認識し、当該認識したユーザがオーディオ機器６のユーザと同一であるか否かを判断する。
【０１０５】
ここで肯定結果が得られると、このことはオーディオ機器６を所有するユーザの携帯再生装置３がステーション７に挿入されていることを意味しており、このとき認証サーバＳＶ２はステップＳＰ３５へ進んで、再生／コピー可能モードへ移行するように命令する命令信号を、オーディオ機器６へ送信する。
【０１０６】
かくしてユーザは、自身が所有する携帯再生装置３に記憶保持させている暗号化圧縮音楽データを、自身が所有するオーディオ機器６を利用して音質良く再生することができ、またこのオーディオ機器６のハードディスクドライブ５３にコピーすることもできる。
【０１０７】
これに対して否定結果が得られると、このことはオーディオ機器６を所有するユーザとは異なる他ユーザの携帯再生装置３がステーション７に挿入されていることを意味しており、このとき認証サーバＳＶ２はステップＳＰ３６へ進んで、再生モードへ移行するように命令する命令信号を、オーディオ機器６へ送信するようになされている。
【０１０８】
かくしてオーディオ機器６を所有するユーザとは異なる他ユーザは、自身が所有する携帯再生装置３に記憶保持させている暗号化圧縮音楽データを、オーディオ機器６を利用して音質良く再生することはできるが、オーディオ機器６のハードディスクドライブ５３にコピーすることができないようになされている。
【０１０９】
一方ステップＳＰ３３において否定結果が得られると、例えばこのことは、オーディオ機器６の所有者が公共サービスを提供する業者であって、当該オーディオ機器６が公共の場に設置されていることを意味しており、このとき認証サーバＳＶ２はステップＳＰ３７へ進み、受信した携帯再生装置ＩＤ情報に基づいてかかる携帯再生装置３のユーザを認識し、当該認識したユーザがオーディオ機器６を正規に利用することができるユーザか否かを判断する。
【０１１０】
ここで肯定結果が得られると、このことは携帯再生装置３のユーザがオーディオ機器６を正規に利用することができるユーザであることを意味しており、このとき認証サーバＳＶ２はステップＳＰ３８へ進んで、再生モードへ移行するように命令する命令信号を、オーディオ機器６へ送信する。
【０１１１】
かくしてオーディオ機器６を正規に利用することができるユーザは、自身が所有する携帯再生装置３に記憶保持させている暗号化圧縮音楽データを、公共の場に設置されているオーディオ機器６を利用して音質良く再生することができる。
【０１１２】
これに対して否定結果が得られると、このことは携帯再生装置３のユーザがオーディオ機器６を正規に利用することができないユーザであることを意味しており、このとき認証サーバＳＶ２はステップＳＰ３９へ進んで、音質を劣化させて音楽を再生させる音質劣化再生モードへ移行するように命令する命令信号を、オーディオ機器６へ送信するようになされている。
【０１１３】
かくしてオーディオ機器６を正規に利用することができないユーザは、自身が所有する携帯再生装置３に記憶保持させている暗号化圧縮音楽データを、音質が悪いながらもオーディオ機器６を利用して再生することができる。
【０１１４】
以上のように、ステーション７に挿入される携帯再生装置３を、オーディオ機器６で認証するのではなく、オーディオ機器６と接続している認証サーバＳＶ２によって認証するようにしても良い。
【０１１５】
また上述の実施の形態においては、オーディオ機器６の２つのスピーカ５８から音楽が放音される場合について述べたが、本発明はこれに限らず、携帯再生装置３からオーディオ機器６へ送信される暗号化圧縮データが、マルチチャンネル（例えば５．１ｃｈ）対応のものであれば、オーディオ機器６に当該マルチチャンネルに対応する個数のスピーカを設け、これらのスピーカから臨場感のある音楽を放音するようにしても良い。
【０１１６】
さらに上述の実施の形態においては、携帯再生装置３のメインコントローラ３１が、再生専用オーディオ機器５やオーディオ機器６から認証処理結果が通知されたタイミングで暗号化圧縮音楽データからの音楽信号の再生に用いるデコーダ部３６及び音楽データ処理部３７を、当該再生専用オーディオ機器５のデコーダ部４５及び音楽データ処理部４６やオーディオ機器６のデコーダ部５５及び音楽データ処理部５７に切り替えるように設定する場合について述べたが、本発明はこれに限らず、携帯再生装置３が再生専用オーディオ機器５やオーディオ機器６とのデータ通信を開始したタイミング、また携帯再生装置３がステーション７の挿入孔ＨＬに差し込まれた旨を検知したタイミング等のように、この他種々のタイミングで、暗号化圧縮音楽データからの音楽信号の再生に用いるデコーダ部３６及び音楽データ処理部３７を、当該再生専用オーディオ機器５のデコーダ部４５及び音楽データ処理部４６やオーディオ機器６のデコーダ部５５及び音楽データ処理部５７に切り替えるように設定するようにしても良い。
【０１１７】
そして暗号化圧縮音楽データからの音楽信号の再生に用いるデコーダ部及び音楽データ処理部の切替設定を、携帯再生装置３が再生専用オーディオ機器５及びオーディオ機器６と通信接続した際に実行すれば、何れの場合でもユーザに何ら特別な操作を行わせることなく、再生操作を行わせるだけで、ハードディスクドライブ３２から暗号化圧縮音楽データを読み出して再生専用オーディオ機器５及びオーディオ機器６に送信して高品質な音楽信号を再生して高音質な音楽を提供することができる。
【０１１８】
さらに上述の実施の形態では、第１の再生装置としての携帯再生装置３と、第２の再生装置及び再生装置としての再生専用オーディオ機器５やオーディオ機器６とによって、コンテンツデータとしての圧縮音楽データから音楽信号を再生する場合について述べたが、本発明はこれに限らず、映像やプログラムを表すコンテンツデータから信号を再生するようにしても良い。
【０１１９】
さらに上述の実施の形態では、コンテンツデータを記憶する記憶手段として、携帯再生装置３のハードディスクドライブ３２を適用する場合について述べたが、本発明はこれに限らず、不揮発性の半導体メモリ等を適用するようにしても良い。
【０１２０】
さらに上述の実施の形態では、コンテンツデータから信号を再生する再生手段として、携帯再生装置３のデコーダ部３６及び音楽データ処理部３７を適用する場合について述べたが、本発明はこれに限らず、この他種々の構成を適用するようにしても良い。
【０１２１】
さらに上述の実施の形態では、携帯再生装置３から送信されるコンテンツデータを受信する受信手段として、再生専用オーディオ機器５及びオーディオ機器６に設けられた無線接続部４０及び接続部５０を適用する場合について述べたが、本発明はこれに限らず、この他種々の構成を適用するようにしても良い。
【０１２２】
さらに上述の実施の形態では、コンテンツデータから携帯再生装置３の再生手段よりも高精度に信号を再生する高精度再生手段として、再生専用オーディオ機器５及びオーディオ機器６のそれぞれに搭載されているデコーダ部４５、５５及び音楽データ処理部４６、５７を適用する場合について述べたが、本発明はこれに限らず、この他種々の構成を適用するようにしても良い。
【０１２３】
さらに上述の実施の形態では、携帯再生装置３が載置される載置部としてステーション７を適用する場合について述べたが、本発明はこれに限らず、クレードル等のこの他種々の構成を適用するようにしても良い。
【産業上の利用可能性】
【０１２４】
本発明は、ＭＰ３プレーヤ等の携帯再生装置と、屋内に据え置かれて設置されるオーディオ機器とからなる音楽再生システム等の再生システムに利用することができる。
【図面の簡単な説明】
【０１２５】
【図１】本実施の形態における音楽再生システムの構成を示す略線図である。
【図２】パーソナルコンピュータの構成を示す略線図である。
【図３】ダウンロード処理を示すシーケンスチャートである。
【図４】携帯再生装置の構成を示す回路ブロック図である。
【図５】再生専用オーディオ機器の構成を示す回路ブロック図である。
【図６】オーディオ機器の構成を示す回路ブロック図である。
【図７】音楽再生処理手順（１）を示すシーケンスチャートである。
【図８】音楽再生処理手順（２）を示すシーケンスチャートである。
【図９】他の実施の形態における音楽再生システムの構成を示す略線図である。
【図１０】認証処理手順を示すシーケンスチャートである。
【図１１】従来例を示す略線図である。
【符号の説明】
【０１２６】
１……音楽再生システム、３……携帯再生装置、５……再生専用オーディオ機器、６……オーディオ機器、７……ステーション、３１、４１、５１……メインコントローラ、３２……ハードディスクドライブ、３６、４５、５５……デコーダ部、３７、４６、５７……音楽データ処理部、３８、４０……無線接続部、３９……ステーション接続部、５０……接続部。
【図１】
2005190522.tif 000003
【図２】
2005190522.tif 000004
【図３】
2005190522.tif 000005
【図４】
2005190522.tif 000006
【図５】
2005190522.tif 000007
【図６】
2005190522.tif 000008
【図７】
2005190522.tif 000009
【図８】
2005190522.tif 000010
【図９】
2005190522.tif 000011
【図１０】
2005190522.tif 000012
【図１１】
2005190522.tif 000013